(57)【特許請求の範囲】
【請求項１】
サイド部に標章を有する空気入りタイヤであって、
前記標章は、前記サイド部に形成した凹部又は凸部によって構成され、
前記標章の外縁に沿う周辺の少なくとも一部に彩色領域を形成し、
前記彩色領域は、前記標章の外縁に囲まれた第１領域を、前記標章に対して周辺のいずれかの方向に一部が重ならないように位置をずらせて得られる第２領域のうち、前記第１領域を除く第３領域に形成したことを特徴とする空気入りタイヤ。
【請求項２】
前記彩色領域は、前記標章を含むことを特徴とする請求項１に記載の空気入りタイヤ。
【請求項３】
前記彩色領域は、タイヤ径方向に対する前記標章の最大幅寸法の０．５％から４０％の寸法で位置をずらせたことを特徴とする請求項１又は２に記載の空気入りタイヤ。
【請求項４】
前記彩色領域は、タイヤ周方向対する前記標章の最大幅寸法の０．５％から４０％の寸法で位置をずらせたことを特徴とする請求項１から３のいずれか１項に記載の空気入りタイヤ。
【請求項５】
前記凹部又は前記凸部は外縁と底面又は上面との間に傾斜面を有し、
前記傾斜面には彩色領域を形成しないようにしたことを特徴とする請求項１から４のいずれか１項に記載の空気入りタイヤ。
【請求項６】
前記凸部は、上面外縁部から上方に向かって突出する突出部を有する縁取り構造としたことを特徴とする請求項１から５のいずれか１項に記載の空気入りタイヤ。
【発明の詳細な説明】
【技術分野】
【０００１】
本発明は、空気入りタイヤ、特に、そのサイド部に標章を有する空気入りタイヤに関するものである。
【背景技術】
【０００２】
従来、空気入りタイヤとして、サイド部に形成した標章を縁取りするラインを設け、このラインに対してタイヤ半径方向及び周方向の一方側と他方側とで色彩の明度を変更するようにした構成が開示されている（例えば、特許文献１参照）。
また、他の空気入りタイヤとして、サイド部に形成する装飾部を、その縁が高低差を生じさせる傾斜面の途中に位置するようにした構成が開示されている（例えば、特許文献２参照）。
また、他の空気入りタイヤとして、サイド部に形成した表示部との隣接域に、表示部の表面よりも突出する凸部を設けた構成が開示されている（例えば、特許文献３参照）。
【０００３】
しかしながら、前記いずれの空気入りタイヤでも、標章部分の視認性（特に、立体性）を高めるには不十分である。また、サイド部に形成する凸部の傾斜面に彩色領域を形成するのは困難である。
【先行技術文献】
【特許文献】
【０００４】
【特許文献１】特開２０１２−６１９７１号公報
【特許文献２】特開２０１２−７６６４９号公報
【特許文献３】特開２０１２−３０７６８号公報
【発明の概要】
【発明が解決しようとする課題】
【０００５】
本発明は、サイド部に視認性に優れた標章を簡単に形成することができる空気入りタイヤを提供することを課題とする。
【課題を解決するための手段】
【０００６】
本発明は、前記課題を解決するための手段として、
サイド部に標章を有する空気入りタイヤであって、
前記標章は、前記サイド部に形成した凹部又は凸部によって構成され、
前記標章の外縁に沿う周辺の少なくとも一部に彩色領域を形成し、
前記彩色領域は、前記標章の外縁に囲まれた第１領域を、前記標章に対して周辺のいずれかの方向に一部が重ならないように位置をずらせて得られる第２領域のうち、前記第１領域を除く第３領域に形成したことを特徴とする空気入りタイヤを提供する。
【０００７】
この構成、すなわち、標章の外縁に沿う周辺の少なくとも一部に彩色領域を形成した構成により、標章部分の視認性、特に立体性（立体的であると感じる度合い）を向上させることができる。また、彩色領域はほぼ平坦なサイド部の表面に形成しているので、簡単に得ることができる。さらに、より一層、標章部分の視認性を高めることができる。
【０００８】
前記彩色領域は、前記標章を含むようにしてもよい。
【００１１】
前記彩色領域は、タイヤ径方向に対する前記標章の最大幅寸法の０．５％から４０％の寸法で位置をずらせるようにすればよい。
【００１２】
前記彩色領域は、タイヤ周方向対する前記標章の最大幅寸法の０．５％から４０％の寸法で位置をずらせるようにすればよい。
【００１３】
前記凹部又は前記凸部は外縁と底面又は上面との間に傾斜面を有し、
前記傾斜面には彩色領域を形成しないようにするのが好ましい。
【００１４】
前記凸部は、上面外縁部から上方に向かって突出する突出部を有する縁取り構造としてもよい。
【発明の効果】
【００１５】
本発明によれば、標章をサイド部に形成した凹部又は凸部で構成し、その周辺の少なくとも一部に彩色領域を形成するようにしたので、標章部分の視認性、特に立体性を高めることができる。また、彩色領域をサイド部のほぼ平坦な面に形成しているので、容易に得ることができる。
【図面の簡単な説明】
【００１６】
【図１】本実施形態に係るタイヤの概略を示す子午線方向での半断面図である。
【図２】図１に示すタイヤのサイド部分を示す正面図である。
【図３】図２の凸部を示すＡ−Ａ線断面図である。
【図４】実施例１に係る凸部の正面図である。
【図５】実施例２に係る凸部の正面図である。
【図６】実施例３に係る凸部の正面図である。
【図７】実施例４に係る凸部の正面図である。
【図８】実施例５に係る凸部の正面図である。
【図９】比較例１に係る凸部の正面図である。
【図１０】図２の凸部の他の例を示す断面図である。
【図１１】図２の凸部の他の例を示す断面図である。
【図１２】図２の凸部の他の例を示す断面図である。
【発明を実施するための形態】
【００１７】
以下、本発明に係る実施形態を添付図面に従って説明する。なお、以下の説明は、本質的に例示に過ぎず、本発明、その適用物、あるいは、その用途を制限することを意図するものではない。また、図面は模式的なものであり、各寸法の比率等は現実のものとは相違している。
【００１８】
図１は本実施形態に係る空気入りタイヤの子午面に於ける部分概略断面図である。この空気入りタイヤでは、外部構造は、トレッド部１、ショルダー部２、サイド部３およびビード部４で構成されている。なお、内部構造についてはビードコア５以外を省略している。
【００１９】
図２に示すように、サイド部３の外表面には、標章を表示するための凸部６が形成されている。ここでは、凸部６は、平面視Ｔ字形で、タイヤの周方向に４箇所等分で形成されている。そして、この凸部６は、タイヤ径方向に、タイヤ断面高さ（図１参照）の１５％から４５％の長さを有するように形成されている。
【００２０】
図３に示すように、凸部６は、サイド部３の表面から垂直に延びる側面７と、サイド部３の表面と平行な位置関係にある上面８とを有する。そして、凸部６の上面８には彩色が施されることにより第１彩色領域９が形成されている。また、サイド部３の表面には、凸部６の周囲の領域に、均一幅で彩色が施されることにより第２彩色領域１０が形成されている。彩色領域９、１０は、タイヤ本来の色彩とは異なる色彩とする。図４に示すように、第２彩色領域１０は、第１彩色領域９に対して、タイヤの周方向には標章部分の最大幅寸法（Ｔ字の場合、上方の横線の長さ）の０．５％から４０％に相当する長さだけ位置がずれている（範囲が広がっている）。また、タイヤの径方向には、標章部分の最大高さ寸法（Ｔ字の場合、上下方向の長さ）の０．５％から４０％に相当する長さだけ位置がずれている（実施例１）。
【００２１】
このように、凸部６の上面８のみならず、凸部６の周辺領域にも彩色領域を形成するようにしたので、凸部６の視認性を高めて、より立体的に視認可能な状態とすることができる。
【００２２】
なお、彩色領域９、１０の印刷方法としては、インクジェット方式のほか、パット印刷、スクリーン印刷、熱転写等が挙げられる。また、第２彩色領域１０のオフセット方向には、次のような種々のパターンが考えられる。
【００２３】
図５は、第１彩色領域９を右斜め下方にオフセットさせた領域を第２彩色領域１０としたものである。詳しくは、凸部６の上面８での重心位置を原点とするＸＹ座標で、Ｘ軸のプラス方向を０°とした場合の反時計回り方向の角度が３１５°となる方向に、第１彩色領域９の全体の位置をずらせ、第１彩色領域９からはみ出した部分を第２彩色領域１０としている（実施例２）。なお、この場合のオフセット量は、図３で説明したのと同様に、第１彩色領域９に対して、タイヤの周方向には標章部分の最大幅寸法（Ｔ字の場合、上方の横線の長さ）の０．５％から４０％に相当する長さとし、径方向には標章部分の最大高さ寸法（Ｔ字の場合、上下方向の長さ）の０．５％から４０％に相当する長さとしている。
図６は、第１彩色領域９を左斜め下方にオフセットさせた領域を第２彩色領域１０としたものである。ＸＹ座標では、２２５°が第１彩色領域９の位置をずらせる方向となる（実施例３）。
図７は、第１彩色領域９を左斜め上方にオフセットさせた領域を第２彩色領域１０としたものである。ＸＹ座標では、１３５°が第１彩色領域９の位置をずらせる方向となる（実施例４）。
図８は、第１彩色領域９を右斜め上方にオフセットさせた領域を第２彩色領域１０としたものである。ＸＹ座標では、４５°が第１彩色領域９の位置をずらせる方向となる（実施例５）。
なお、図６から図８でも、オフセット量については前記図５と同様である。
図９は、標章として凸部６のみを形成し、彩色領域は形成していない（基準タイヤ：比較例１）。
【実施例】
【００２４】
以下に示す表１に、図４から図９に示す標章を形成したタイヤについて、視認性を評価した結果を示す。評価方法は、車両にタイヤを装着し、１ｍ離れたところから輝度差の平均値及び視認性（立体感、明瞭感）について、図９に示す基準タイヤの指数を１００として評価を行った。
【００２５】
【表１】
0006325962.tif 000002
【００２６】
表１から明らかなように、第２彩色領域１０を形成したいずれの実施例であっても、輝度差の平均値及び視認性を高めることができた。特に、実施例１のように、第２彩色領域１０を右斜め下方にオフセットさせることにより最も良好な指数を得ることができた。
【００２７】
なお、本発明は、前記実施形態に記載された構成に限定されるものではなく、種々の変更が可能である。
【００２８】
例えば、前記実施形態では、図４から図８に示す各領域に第２彩色領域１０を形成するようにしたが、必ずしもこれらの位置に限定されるものではなく、第１彩色領域９に対してオフセットしたいずれかの位置に形成することも可能である。
【００２９】
また、前記実施形態では、サイド部３に形成した凸部６のみで標章を構成するようにしたが、以下のような構成とすることもできる。
【００３０】
図１０は、サイド部３の表面に凹部１２を形成することにより標章を構成するようにしている。ここでは、凹部１２の底面に第１彩色領域９を形成し、凹部１２の開口縁から外側の領域に第２彩色領域１０を形成するようにしている。
【００３１】
図１１は、凸部６の外表面に凹部１１を形成し、標章をいわゆる縁取り構造で構成したものを示す。ここでは、凹部１１の深さ寸法は、サイド部３の外表面からの凸部６の突出寸法のほぼ半分としている。この場合、凹部１１の底面にも第１彩色領域９を形成してもよい。
【００３２】
図１２は、凸部６の側面７を外側に向かうに従って徐々に低くなる傾斜面１３で構成している。傾斜面１３には彩色を施さず、上方の平坦面に第１彩色領域９を形成し、図４から図８に代表される、凸部６の周辺のいずれか一部の領域に第２彩色領域１０を形成する。
【００３３】
また、前記実施形態では、第１彩色領域９と第２彩色領域１０を同様な色彩で形成するようにしたが、色の三属性である色相、明度、彩度のうち、少なくともいずれか１つを変更するようにしてもよい。
【００３４】
また、前記実施形態では、彩色領域を同様な階調の色彩で構成するようにしたが、タイヤの周方向や径方向、あるいは、中心から周囲等、種々の方向に色の濃淡・明暗・色相などが段階的に少しずつ変わっていくグラデーションとしてもよい。
【００３５】
また、前記実施形態では、凸部６の上面又は凹部１２の底面に第１彩色領域９を形成するようにしたが、この第１彩色領域９は必ずしも必要なものではない。
【符号の説明】
【００３６】
１…トレッド部
２…ショルダー部
３…サイド部
４…ビード部
４…ビードコア
６…凸部
７…側面
８…上面
９…第１彩色領域
１０…第２彩色領域
１１…凹部
１２…凹部
１３…傾斜面
【図１】
0006325962.tif 000003
【図２】
0006325962.tif 000004
【図３】
0006325962.tif 000005
【図４】
0006325962.tif 000006
【図５】
0006325962.tif 000007
【図６】
0006325962.tif 000008
【図７】
0006325962.tif 000009
【図８】
0006325962.tif 000010
【図９】
0006325962.tif 000011
【図１０】
0006325962.tif 000012
【図１１】
0006325962.tif 000013
【図１２】
0006325962.tif 000014